(57)【要約】      （修正有）【課題】負荷の断芯に伴う高電圧やノイズの発生を抑制できるとともに、定電流電源装置の出力側が短絡した場合や負荷を減らした場合でも、光度制御信号に応じた定電流制御が可能な負荷制御装置を提供する。【解決手段】負荷制御装置１は、交流電源Ｖｓの出力電圧を位相制御して給電可能な第１の位相制御手段２と、第１の位相制御手段２をバイパスするとともに各負荷１３に給電する減流されたバイパス電流を通流する第２の位相制御手段３と、第１および第２の位相制御手段２，３の合成出力値を設定するとともに合成出力値に一定化制御し、合成出力値が所定値を超える条件においては、第１の位相制御手段２の出力を合成出力値となるように制御し、合成出力値が所定値以下の条件においては、第２の位相制御手段３の出力を合成出力値となるように制御する制御手段４と、を具備している。【選択図】図１
2015192472.tif 000002
【特許請求の範囲】
【請求項１】
互いに直列接続された複数個の可飽和装置と；  各可飽和装置を介して給電される複数個の負荷と；  交流電源の出力電圧を位相制御して各負荷に給電可能な第１の位相制御手段と；  交流電源の出力電圧を位相制御して第１の位相制御手段をバイパスするとともに各負荷に給電する減流されたバイパス電流を通流し、交流電圧の毎半サイクルの零クロス時点から所定値のバイパス電流を通流する第２の位相制御手段と；  第１および第２の位相制御手段の合成出力値を設定するとともに合成出力値に一定化制御し、合成出力値が所定値を超える条件においては、第２の位相制御手段のバイパス電流の通流を交流電圧の毎半サイクルの零クロス時点から開始して第１の位相制御手段の出力を合成出力値となるように制御し、合成出力値が所定値以下の条件においては、第２の位相制御手段の出力を合成出力値となるように制御する制御手段と；を具備していることを特徴とする負荷制御装置。
【請求項２】
互いに直列接続された複数個の可飽和装置を介して給電される複数個の負荷に対して交流電源の出力電圧を位相制御して給電可能な第１の位相制御手段と；  交流電圧の出力電圧を位相制御して第１の位相制御手段をバイパスするとともに各負荷に給電する減流されたバイパス電流を通流し、交流電圧の毎半サイクルの零クロス時点から所定値のバイパス電流を通流する第２の位相制御手段と；  第１および第２の位
相制御手段の合成出力値を設定するとともに合成出力値に一定化制御し、合成出力値が所定値を超える条件においては、第２の位相制御手段のバイパス電流の通流を交流電圧の毎半サイクルの零クロス時点から開始して第１の位相制御手段の出力を合成出力値となるように制御し、合成出力値が所定値以下の条件においては、第２の位相制御手段の出力を合成出力値となるように制御する制御手段と；を具備していることを特徴とする負荷制御装置。
【請求項３】
制御手段は、合成出力値が所定値およびこの所定値よりも小さく設定された設定値の範囲であるときには、第２の位相制御手段が設定値を出力するように制御し、第１の位相制御手段が合成出力値および設定値の差分値を出力するように制御することを特徴とする請求項１または２記載の負荷制御装置。
【発明の詳細な説明】
【技術分野】
【０００１】
本発明の実施形態は、負荷に流れる電流を定電流制御する負荷制御装置に関する。
【背景技術】
【０００２】
飛行場において、例えば滑走路への離着陸を誘導したり、滑走路へ飛行機を誘導したり、着陸した飛行機をターミナルへ誘導したりするために、滑走路、誘導路等に沿って多数の標識灯が設置されている。この標識灯のランプ（灯火）は、直列接続され、目標の光度レベルに応じた定電流が供給されて点灯されている。すなわち、ランプは、定電流電源装置の出力トランスの二次側に互いに直列接続された複数個の可飽和変流器の各二次側に接続されている。そして、出力トランスの一次側には、交流電圧を光度制御信号に応じて位相制御する位相制御手段の位相制御電圧が入力されている。また、出力電流値に応じて前記位相制御手段をフィードバック制御するようにしている。位相制御電圧が出力トランスで必要に応じて昇圧され、直列接続された可飽和変流器を介してランプに光度制御信号に応じた定電流が流れるようにしている。  
【０００３】
直列接続された可飽和変流器のうち、例えば１つの可飽和変流器のランプが断芯すると、位相制御手段のトライアックが点弧(導通)するときに、あるいは点弧した後に、可飽和変流器が飽和することに伴い、可飽和変流器の二次側に高電圧が発生し、可飽和変流器が絶縁破壊する等の問題を生じることがあることが知られている。これを防止するために、トライアックに並列にインダクタ（限流素子）を接続して、交流電圧の毎半サイクルにおいてトライアックが点弧する以前からバイパス電流を流す負荷制御装置が提案されている（例えば特許文献１参照。）。
【先行技術文献】
【特許文献】
【０００４】
【特許文献１】特開平７−６５９６１号公報（第４〜５頁、第１図）
【発明の概要】
【発明が解決しようとする課題】
【０００５】
特許文献１のようにバイパス電流を流すことにより、ランプが断芯した可飽和変流器がトライアックの点弧により急激に飽和することを防止でき、高電圧の発生を防止または緩和できる。しかし、位相制御手段のトライアックが点弧する以前からバイパス電流を流すと、光度制御信号が低レベルの定電流を指示しても、または、フィードバック制御により出力電流を制御しようとしても、バイパス電流以下には制御することができない。例えば、前記出力トランスの二次側を短絡した場合、負荷の数量を減らした場合等において、バイパス電流以下に電流を制御することができないという欠点を有する。
【０００６】
また、位相制御手段のトライアックが点弧する直前にバイパス電流を流して、位相制御手段により光度制御信号に応じた定電流をランプに供給することが考えられる。この場合は、光度制御信号に応じた低レベルの定電流をランプに供給可能である。しかしながら、バイパス電流を流すバイパス回路の導通時に、電圧の急峻（垂直）の立ち上がりが常に発生するので、ノイズや高電圧の発生が危惧される。
【０００７】
本発明の実施形態は、負荷の断芯に伴う高電圧やノイズの発生を抑制できるとともに、定電流電源装置の出力側が短絡した場合や負荷を減らした場合でも、光度制御信号に応じた定電流制御が可能な負荷制御装置を提供することを目的とする。
【課題を解決するための手段】
【０００８】
本実施形態の負荷制御装置は、可飽和装置、負荷、第１の位相制御手段、第２の位相制御手段および制御手段を有して構成される。  
【０００９】
可飽和装置は、複数個からなり、互いに直列接続される。負荷は、各可飽和装置に接続された複数個からなり、可飽和装置を介して給電される。第１の位相制御手段は、交流電源の出力電圧を位相制御して各負荷に給電可能に形成される。  
【００１０】
第２の位相制御手段は、交流電源の出力電圧を位相制御して第１の位相制御手段をバイパスするとともに各負荷に給電する減流されたバイパス電流を通流するように形成される。そして、交流電圧の毎半サイクルの零クロス時点から所定値のバイパス電流を通流する。  
【００１１】
制御手段は、第１および第２の位相制御手段の合成出力値を設定するとともに第１および第２の位相制御手段の出力が合成出力値になるように一定化制御するように形成される。そして、合成出力値が所定値を超える条件においては、第２の位相制御手段のバイパス電流の通流を交流電圧の毎半サイクルの零クロス時点から開始して第１の位相制御手段の出力を合成出力値となるように制御する。また、合成出力値が所定値以下の条件においては、第２の位相制御手段の出力を合成出力値となるように制御するように形成される。
【発明の効果】
【００１２】
本実施形態の負荷制御装置によれば、第１および第２の位相制御手段の合成出力値が所定値を超える条件においては、バイパス電流が通流されている状態で第１の位相制御手段の出力が制御されるので、負荷が断芯していても、第１の位相制御手段が位相制御を開始した時点での可飽和装置における高電圧の発生を防止または緩和することができ、合成出力値が所定値以下の条件においては、第２の位相制御手段の出力が制御されるので、出力側が短絡した場合や負荷を減らした場合でも、光度制御信号に応じた定電流制御をすることが期待できる。
【図面の簡単な説明】
【００１３】
【図１】本発明の実施形態を示す負荷制御装置の概略回路図である。
【図２】同上、第１および第２の位相制御手段による出力電流を示す説明図である。
【図３】同上、第１および第２の位相制御手段による合成出力を示す説明図である。
【図４】同上、第１および第２の位相制御手段の出力制御を示す説明図である。
【発明を実施するための形態】
【００１４】
以下、本発明の一実施の形態について、図面を参照して説明する。  
【００１５】
本実施形態の負荷制御装置１は、飛行場の誘導路等に設置される灯火を定電流制御するものであり、図１に示すように、第１の位相制御手段２、第２の位相制御手段３および制御手段４を有して構成される。そして、第１の位相制御手段２は、漏洩変圧器５および第１の位相制御回路６を有して形成され、第２の位相制御手段３は、第２の位相制御回路７および漏洩変圧器５を有して形成されている。また、制御手段４は、制御回路８およびカレントトランス９を有して形成されている。  
【００１６】
負荷制御装置１は、その入力端子１０ａ，１０ｂが交流電源Ｖｓに接続され、その出力端子１１ａ，１１ｂが直列接続された複数個の可飽和装置としての可飽和変流器１２に接続されている。各可飽和変流器１２には、例えば発光ダイオードを光源とする標識灯である負荷１３が給電可能に接続されている。負荷制御装置１の入力端子１０ａ，１０ｂには、交流電源Ｖｓから出力された正弦波の交流電圧（交流電流）が入力される。  
【００１７】
漏洩変圧器５は、その一次側である一次巻線５ａの両端が入力端子１４ａ，１４ｂに接続され、二次側である二次巻線５ｂの両端が出力端子１５ａ，１５ｂに接続され、三次巻線５ｃの両端が入力端子１４ａ，１４ｃに接続されている。入力端子１４ｂは、負荷制御装置１の入力端子１０ｂに接続され、入力端子１４ａは、第１の位相制御回路６を介して負荷制御装置１の入力端子１０ａに接続され、入力端子１４ｃは、第２の位相制御回路７を介して負荷制御装置１の入力端子１０ａに接続されている。  
【００１８】
すなわち、漏洩変圧器５の入力端子１４ａ，１４ｂは、第１の位相制御回路６を介して交流電源Ｖｓに接続され、入力端子１４ｃ，１４ｂは、第２の位相制御回路７を介して交流電源Ｖｓに接続されている。漏洩変圧器５は、入力端子１４ａ（１４ｃ），１４ｂに入力した交流電圧を昇圧して出力端子１５ａ，１５ｂから出力する。  
【００１９】
出力端子１５ａ，１５ｂには、可飽和変流器１２の一次巻線１２ａが直列接続されて接続されている。可飽和変流器１２の一次巻線１２ａには、入力端子１４ａ（１４ｃ），１４ｂに入力する交流電圧に応じた交流電流が流れる。  
【００２０】
第１の位相制御回路６は、互いに逆方向となるように並列接続されたサイリスタ１６，１７からなり、入力端子１０ａと、漏洩変圧器５の入力端子１４ａとの間に接続されている。サイリスタ１６，１７は、交流電源Ｖｓからの交流電圧を位相制御するものであり、そのゲートに制御回路８からのゲート信号（例えばパルス信号）を入力した時点から交流電圧が零クロスする時点まで（自己保持電流以下になるまで）交流電圧を導通させる。その導通期間によって、交流電圧を位相制御した電圧が漏洩変圧器５の入力端子１４ａ，１４ｂ間に入力される。  
【００２１】
このように、第１の位相制御手段２は、交流電源Ｖｓの出力電圧（正弦波の交流電圧）を位相制御して、複数個の負荷１３に対して給電可能に形成されている。  
【００２２】
第２の位相制御手段３の第２の位相制御回路７は、互いに逆方向となるように並列接続されたサイリスタ１８，１９からなり、入力端子１０ａと、漏洩変圧器５の入力端子１４ｃとの間に接続されている。すなわち、第２の位相制御回路７は、第１の位相制御回路６に漏洩変圧器５の三次巻線５ｃを介して並列接続されている。ここで、漏洩変圧器５の三次巻線５ｃは、減流インピーダンスとなっている。第２の位相制御手段３は、第２の位相制御回路７および漏洩変圧器５の三次巻線５ｃを直列に含んで形成されている。  
【００２３】
サイリスタ１８，１９は、サイリスタ１６，１７と同様に交流電源Ｖｓからの交流電圧を位相制御するものであり、そのゲートに制御回路８からのゲート信号（例えばパルス信号）を入力した時点から交流電圧が零クロスする時点まで（自己保持電流以下になるまで）交流電圧を導通させる。その導通期間によって、交流電圧を位相制御した電圧が漏洩変圧器５の入力端子１４ｃ，１４ｂ間に入力される。  
【００２４】
第１の位相制御手段２が導通していない期間、漏洩変圧器５の入力端子１４ａ，１４ｂには、交流電源Ｖｓからの正弦波交流電圧が三次巻線５ｃを介して入力する。これにより、三次巻線５ｃおよび一次巻線５ａには、減流されたバイパス電流が流れる。第２の位相制御回路７は、制御手段４の制御回路８によりオンオフ制御され、オン期間に亘って交流電圧を導通させる。そして、第２の位相制御回路７が交流電源Ｖｓの交流電圧の毎半サイクルの始まりの零クロス時点から終わりの零クロス時点に亘って導通すると、所定値のバイパス電流を通流するように設定されている。こうして、第２の位相制御手段３は、交流電源Ｖｓの交流電圧の出力電圧を位相制御して第１の位相制御手段２をバイパスするとともに各負荷１３に給電する減流されたバイパス電流を通流するように形成されている。そして、そのバイパス電流は、交流電源Ｖｓの交流電圧が定格の出力電圧であるときに、最大、所定値を通流するように形成されている。  
【００２５】
負荷１３は、それぞれの可飽和変流器１２の二次側である二次巻線１２ｂの両端間にそれぞれ接続される。負荷１３は、例えば電球あるいは発光ダイオードおよびこの発光ダイオードの点灯制御装置を備えた標識灯である。可飽和変流器１２の一次巻線１２ａに漏洩変圧器５からの出力電流が流れると、二次巻線１２ｂに電流が流れて、負荷１３が点灯する。負荷１３は、漏洩変圧器５からの出力電流に応じて、光度レベルが変化する。こうして、複数個の負荷１３は、互いに直列接続された複数個の可飽和変流器１２を介して給電されて点灯する。  
【００２６】
そして、負荷１３が電球である場合には、電球が断芯すると、可飽和変流器１２の二次巻線１２ｂの両端間が開路する。また、負荷１３が発光ダイオードである場合には、発光ダイオードと点灯制御装置とが断線し、または点灯制御装置が故障等の異常状態になると、可飽和変流器１２の二次巻線１２ｂと点灯制御装置との間に設けたリレーや半導体スイッチ等の遮断手段により、可飽和変流器１２の二次巻線１２ｂの両端間が開路される。  
【００２７】
制御手段４において、カレントトランス９は、漏洩変圧器５の二次側である二次巻線５ｂに流れる電流を検出するように設けられている。すなわち、可飽和変流器１２に流れる漏洩変圧器５の出力電流を検出する。漏洩変圧器５の出力電流の検出値は、常時、制御回路８に入力されている。  
【００２８】
制御回路８は、マイコンを有して形成されている。そして、制御回路８は、第１の位相制御回路６のサイリスタ１６，１７にゲート信号（例えばパルス信号）を出力して、漏洩変圧器５の入力端子１４ａ，１４ｂに入力する交流電源Ｖｓの交流電圧の半周期における入力期間を制御する。すなわち、第１の位相制御回路６は、図２（ｂ）に示すパルス信号の入力時点でサイリスタ１６，１７が導通し、この導通時点からサイリスタ１６，１７の自己保持電流以下になるまで交流電圧（図２（ａ）に示す。）を導通させて、漏洩変圧器５の一次巻線５ａに交流電源Ｖｓの交流電流を通流させる。  
【００２９】
また、制御回路８は、第２の位相制御回路７のサイリスタ１８，１９にゲート信号（例えばパルス信号）を出力して、漏洩変圧器５の三次巻線５ｃを介して入力端子１４ａ，１４ｂに入力する交流電源Ｖｓの交流電圧の半周期における入力期間を制御する。すなわち、第２の位相制御回路７は、図２（ｃ）に示すパルス信号の入力時点でサイリスタ１８，１９が導通し、この導通時点からサイリスタ１８，１９の自己保持電流以下になるまで交流電圧を導通させて、漏洩変圧器５の一次巻線５ａに交流電源Ｖｓの交流電流（減流されたバイパス電流）を通流させる。図２（ｃ）では、交流電圧の毎半サイクルの零クロス時点でゲート信号が出力されている状態を示している。  
【００３０】
漏洩変圧器５の一次巻線５ａに、第１および第２の位相制御回路６，７のそれぞれの導通期間における交流電流が流れることにより、漏洩変圧器５の二次巻線５ｂに、図２（ｄ）に示すように、第１および第２の位相制御手段２，３のそれぞれの出力電流の合成出力値の電流が流れる。すなわち、漏洩変圧器５の出力端子１５ａ，１５ｂ間に第１および第２の位相制御手段２，３による合成出力値の出力電流が流れて、この出力電流が出力端子１５ａ，１５ｂに可飽和変流器１２を介して接続している負荷１３に流れる。なお、以下、第１および第２の位相制御回路６，７がそれぞれ導通開始する交流電圧の零クロス時点からの時間を交流電圧の点弧角と称する。点弧角は、導通角や導通位相とも称されている。  
【００３１】
制御回路８は、外部から第１および第２の位相制御手段２，３の合成出力値を設定する信号、すなわち負荷１３の光度レベルを設定する光度制御信号を入力している。飛行場における光度制御信号は、通常、５段階に設定されている。すなわち、負荷１３の光度を１００％、２５％、５％、１％、０．２％に変化させる。しかし、本発明は、これに限られない。例えば、光度を連続的に変化させる信号であってもよい。  
【００３２】
また、制御回路８は、カレントトランス９から漏洩変圧器５の出力電流の検出値を入力している。さらに、入力端子１０ａ，１０ｂに接続され、交流電源Ｖｓの交流電圧を入力している。制御回路８は、交流電源Ｖｓの交流電圧の零クロス時点の
タイミングを検出している。  
【００３３】
そして、制御回路８は、外部からの光度制御信号に応じて第１および第２の位相制御手段２，３の合成出力値を設定し、この合成出力値の出力電流となる第１および第２の位相制御回路６，７のそれぞれの点弧角を演算して設定し、カレントトランス９からの検出値が合成出力値となるように点弧角を調整して、第１および第２の位相制御手段２，３の出力を合成出力値に一定化制御するように形成されている。  
【００３４】
そして、制御回路８は、設定した合成出力値が所定値を超える条件においては、第２の位相制御手段２から所定値を出力させて、第１の位相制御手段２の出力を合成出力値となるように制御する。すなわち、第２の位相制御手段３に対して、第２の位相制御回路７のサイリスタ１８，１９に、図２（ｃ）に示すように、交流電圧の零クロスのタイミング（点弧角ゼロ）でゲート信号を出力して第２の位相制御回路７を導通させる。そして、第１の位相制御手段２に対して、合成出力値と所定値との差分を演算し、当該差分となる点弧角Ａｙを演算して、第１の位相制御回路６のサイリスタ１６，１７に、図２（ｂ）に示すように、交流電圧の点弧角Ａｙのタイミングでゲート信号を出力して第１の位相制御回路６を導通させる。これにより、図３（ｂ）に示すように、第１の位相制御手段２の出力と第２の位相制御手段３の出力との合成出力値が漏洩変圧器５の出力端子１５ａ，１５ｂ間に発生する。  
【００３５】
また、制御回路８は、設定した合成出力値が所定値以下の条件においては、第１の位相制御手段２の出力を停止し、第２の位相制御手段２の出力を合成出力値となるように第２の位相制御回路７を制御する。すなわち、第１の位相制御手段２に対して、第１の位相制御回路６のサイリスタ１６，１７にゲート信号を出力しなく第１の位相制御回路６を非導通させる。そして、第２の位相制御手段３に対して、合成出力値となる点弧角Ａｘを演算して、第２の位相制御回路７のサイリスタ１８，１９に交流電圧の点弧角Ａｘのタイミングでゲート信号を出力して第２の位相制御回路７を導通させる。これにより、図３（ａ）に示すように、第２の位相制御手段３の出力による合成出力値が漏洩変圧器５の出力端子１５ａ，１５ｂ間に発生して負荷１３に供給される。所定値の出力電流は、第２の位相制御手段３のバイパス電流の通流を交流電圧の毎半サイクルの零クロス時点から開始する第２の位相制御手段３の出力値であるので、負荷１３に供給する所定値以下の出力電流は、第２の位相制御手段３の出力のみで行える。  
【００３６】
ところで、制御回路８は、負荷制御装置１の入力端子１０ａ，１０ｂから交流電源Ｖｓの交流電圧を入力し、交流電圧の零クロス時点を検出している。そして、この零クロス時点から演算した点弧角の経過時間後にゲート信号を出力している。ここで、制御回路８は、交流電圧の零クロス時点の検出からゲート信号の出力までに相応の制御時間を要する。したがって、交流電圧の零クロス時点に近いタイミングでは、ゲート信号の出力に遅れが生じて光度制御信号に応じたリニアな制御ができない。前記制御時間は、制御回路８の高機能化により短縮できるが、制御回路８は、高機能化により非常に高価となって、負荷制御装置１の商品性を損ねてしまう。  
【００３７】
そこで、本実施形態では、所定値よりも小さい設定値Ｓａを設定し、負荷１３に供給する合成出力値が所定値および設定値Ｓａの範囲であるときには、第２の位相制御手段３が設定値Ｓａを出力し、第１の位相制御手段２が合成出力値および設定値Ｓａの差分値を出力するように形成されている。設定値Ｓａは、ゲート信号の出力に遅れが生じない値に設定される。  
【００３８】
制御回路８は、合成出力値が所定値であるときには、点弧角ゼロとし、第２の位相制御回路７のサイリスタ１８，１９に交流電圧の零クロス時点でゲート信号を出力する。これにより、図４（ａ）に示すように、第２の位相制御回路７が常に導通状態となって、所定値の正弦波交流電流が漏洩変圧器５の出力端子１５ａ，１５ｂ間に流れて負荷１３に供給される。  
【００３９】
そして、制御回路８は、合成出力値が設定値Ｓａであるときには、第２の位相制御手段３が設定値Ｓａを出力する交流電圧の点弧角Ａｓを演算し、交流電圧の零クロス時点から点弧角Ａｓ経過後に、第２の位相制御回路７のサイリスタ１８，１９にゲート信号を出力する。これにより、図４（ｄ）に示すように、第２の位相制御手段３から設定値Ｓａの出力電流が出力される。また、合成出力値が設定値Ｓａを下回るときには、同様に点弧角Ａｔを演算して、図４（ｅ）に示すように、設定値Ｓａよりも小さい出力電流が出力される。  
【００４０】
そして、制御回路８は、合成出力値が所定値を若干下回るときには、第２の位相制御手段３が設定値Ｓａを出力するように制御するとともに、図４（ｂ）に示すように、合成出力値と設定値Ｓａとの差分値Ｓ１を演算し、第１の位相制御手段２が差分値Ｓ１を出力する交流電圧の点弧角Ａｙ１を演算し、交流電圧の零クロス時点から点弧角Ａｙ１経過後に、第１の位相制御回路６のサイリスタ１６，１７にゲート信号を出力する。これにより、第１の位相制御手段２の差分値Ｓ１および第２の位相制御手段３の設定値Ｓａの合成出力値の出力電流が漏洩変圧器５の出力端子１５ａ，１５ｂ間に流れて負荷１３に供給される。  
【００４１】
また、制御回路８は、図４（ｃ）に示すように、合成出力値が所定値および設定値Ｓａの間の出力値であるときには、第２の位相制御手段３が設定値Ｓａを出力するように制御するとともに、当該出力値と設定値Ｓａとの差分値Ｓ２を演算し、第１の位相制御手段２が差分値Ｓ２を出力する交流電圧の点弧角Ａｙ２を演算し、交流電圧の零クロス時点から点弧角Ａｙ２経過後に、第１の位相制御回路６のサイリスタ１６，１７にゲート信号を出力する。これにより、所定値および設定値Ｓａの間の出力値の出力電流が漏洩変圧器５の出力端子１５ａ，１５ｂ間に流れて負荷１３に供給される。  
【００４２】
次に、本発明の実施形態の作用について説明する。  
【００４３】
光度制御信号が負荷１３に対して所定値を超える出力電流で点灯する制御信号であるときには、第２の位相制御回路７は、制御回路８により常に導通されるので、漏洩変圧器５の出力端子１５ａ，１５ｂ間には減流されたバイパス電流に応じた低レベルの出力電流が常に流れている。すなわち、第１の位相制御回路６のサイリスタ１６，１７が導通していない期間も、可飽和変流器１２に低電流が流れている。したがって、負荷１３が断芯しているときに、第１の位相制御回路６のサイリスタ１６，１７が導通した時点で、可飽和変流器１２の二次巻線１２ｂの両端間にパルス状の高電圧が発生しなくなる。  
【００４４】
そして、第１の位相制御手段２は、その第１の位相制御回路６が光度制御信号に応じた点弧角Ａｙで導通されるので、負荷１３には、光度制御信号に応じた合成出力値の出力電流が流れて点灯する。  
【００４５】
また、光度制御信号が負荷１３を所定値以下の出力電流で点灯する制御信号であるときには、第１の位相制御手段２による出力を停止させて、第１の位相制御手段２の出力が制御されるので、負荷１３は、光度制御信号に応じた低レベルの出力電流が供給されて点灯する。そして、漏洩変圧器５の出力端子１５ａ，１５ｂ間に流れる電流は、低レベルの電流であるので、第２の位相制御回路７のサイリスタ１８，１９が導通した時点で、可飽和変流器１２の二次巻線１２ｂの両端間にパルス状の電圧が発生しても、当該電圧は低レベルである。すなわち、パルス状の高電圧は、発生しない。したがって、負荷１３の断芯に伴う高電圧やノイズの発生が抑制される。また、漏洩変圧器５の出力端子１５ａ，１５ｂ間が短絡した場合や負荷１３を減らした場合でも、光度制御信号に応じた定電流制御となる。  
【００４６】
そして、光度制御信号が負荷１３を所定値および設定値Ｓａの間の出力電流で点灯する制御信号であるときには、第２の位相制御手段３の出力を設定値Ｓａの出力電流に制御し、所定値および設定値Ｓａの差分値Ｓ２の出力電流を第１の位相制御手段２の出力により制御するので、所定値および設定値Ｓａの間の出力電流の制御が光度制御信号に応じたリニアな制御で行える。  
【００４７】
本実施形態の負荷制御装置１によれば、第１および第２の位相制御手段２，３の合成出力値が所定値を超える条件においては、第２の位相制御手段３によりバイパス電流が通流されている状態で第１の位相制御手段２の出力が制御されるので、負荷１３が断芯していても、第１の位相制御手段２が位相制御を開始した時点での可飽和装置１２における高電圧の発生を防止または緩和することができ、合成出力値が所定値以下の条件においては、第２の位相制御手段３の出力が制御されるので、出力側が短絡した場合や負荷を減らした場合でも、光度制御信号に応じた定電流制御をすることができるという効果を有する。  
【００４８】
また、制御手段４は、合成出力値が所定値および所定値よりも小さく設定された設定値Ｓａの範囲であるときには、第２の位相制御手段３が設定値を出力するように制御し、第１の位相制御手段２が合成出力値および設定値の差分値Ｓ１，Ｓ２を出力するように制御するので、光度制御信号に応じた所定値以下の低レベルの出力がほぼ正確に行えるという効果を有する。  
【００４９】
なお、本実施形態において、零クロス時点や零クロスのタイミングなどは、厳密な零クロスに限定されるものではなく、零クロスより若干ずれていることも許容するものである。  
【００５０】
また、第１および第２の位相制御回路６，７は、サイリスタ１６，１７およびサイリスタ１８，１９による構成に限らず、それぞれダイオードブリッジおよびトランジスタを用いたスイッチ手段やトライアックなど、交流電源Ｖｓの交流電圧を位相制御するものであればよい。  
【００５１】
また、本実施形態の負荷制御装置１は、可飽和変流器１２および負荷１３を含んだものも適用される。  
【００５２】
また、上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５３】
１…負荷制御装置、  ２…第1の位相制御手段、  ３…第2の位相制御手段、  ４…制御手段、  １2…可飽和装置としての可飽和変流器、  １3…負荷
【図１】
2015192472.tif 000003
【図２】
2015192472.tif 000004
【図３】
2015192472.tif 000005
【図４】
2015192472.tif 000006